(57)【要約】【課題】利便性向上を図ることができる電力量計を提供する。【解決手段】電力量計のマイコン１１は、電源遮断状態が検出された際に時計ＩＣ１５から取得した時刻を遮断時刻としてメモリ１６に記憶させるとともに、電源復帰状態が検出された際に遮断時刻をメモリ１６から取得する。マイコン１１は、電源復帰状態が検出された際に時計ＩＣ１５から取得した時刻を復帰時刻として取得する。マイコン１１は、復帰時刻と遮断時刻との差を演算し、測定対象機器の停止時間として加算する。【選択図】図２
2017116480.tif 000002
【特許請求の範囲】
【請求項１】
測定対象機器の消費電力量を測定する電力測定部と、前記電力測定部において前記測定対象機器の消費電力が測定されない時間を停止時間として計測する停止時間計測部と、前記測定対象機器に対して電力供給を行う電源部と同一系統に接続されて前記電源部からの電力供給が停止した電源遮断状態を検出する遮断検知部と、前記電源遮断状態から復帰した電源復帰状態を検出する復帰検知部と、前記遮断検知部にて電源遮断状態が検出された際に時計ＩＣから取得した時刻を遮断時刻として不揮発性メモリに記憶させるとともに、前記復帰検知部にて電源復帰状態が検出された際に前記遮断時刻を前記不揮発性メモリから取得する遮断時刻取得部と、前記復帰検知部にて前記電源復帰状態が検出された際に前記時計ＩＣから取得した時刻を復帰時刻として取得する復帰時刻取得部と、前記復帰時刻と前記遮断時刻との差を演算する演算部とを有し、
前記停止時間計測部は、前記演算部によって演算された前記遮断時刻と前記復帰時刻との差を前記測定対象機器の停止時間として加算することを特徴とする電力量計。
【請求項２】
請求項１に記載の電力量計において、
前記復帰時刻取得部にて前記復帰時刻を取得した後に、前記遮断時刻取得部にて前記不揮発性メモリから遮断時刻を取得することを特徴とする電力量計。
【請求項３】
請求項１又は２に記載の電力量計において、
前記遮断検知部にて電源遮断状態が検出された際に、前記遮断時刻取得部を第１所定時間だけ駆動させるための補助電源部を有し、
前記遮断時刻取得部は、前記第１所定時間よりも短い第２所定時間毎に前記時計ＩＣから時刻を取得することを特徴とする電力量計。
【発明の詳細な説明】
【技術分野】
【０００１】
本発明は、測定対象機器の消費電力を監視する電力量計に関するものである。
【背景技術】
【０００２】
従来、例えばビルや工場等において、電気設備等での消費電力を監視するために、各設備（測定対象機器）に電力量計が設けられている（例えば、特許文献１参照）。
【先行技術文献】
【特許文献】
【０００３】
【特許文献１】特開２０１１−５９０７２号公報
【発明の概要】
【発明が解決しようとする課題】
【０００４】
ところで、上記のような電力量計では、例えば、測定対象機器の稼働率を使用者に報知すべく、測定対象機器の稼働時間と停止時間を測定することが考えられる。しかしながら、同一の電源系統で電力量計並びに測定対象機器を稼働させている場合、その電源系統において停電などが発生してしまうと、電力量計によって測定対象機器の停止時間の測定が行えないことが考えられる。即ち、利便性の面で改善の余地が残されている。
【０００５】
本発明は、上記課題を解決するためになされたものであって、その目的は、利便性向上を図ることができる電力量計を提供することにある。
【課題を解決するための手段】
【０００６】
上記課題を解決する電力量計は、測定対象機器の消費電力量を測定する電力測定部と、前記電力測定部において前記測定対象機器の消費電力が測定されない時間を停止時間として計測する停止時間計測部と、前記測定対象機器に対して電力供給を行う電源部と同一系統に接続されて前記電源部からの電力供給が停止した電源遮断状態を検出する遮断検知部と、前記電源遮断状態から復帰した電源復帰状態を検出する復帰検知部と、前記遮断検知部にて電源遮断状態が検出された際に時計ＩＣから取得した時刻を遮断時刻として不揮発性メモリに記憶させるとともに、前記復帰検知部にて電源復帰状態が検出された際に前記遮断時刻を前記不揮発性メモリから取得する遮断時刻取得部と、前記復帰検知部にて前記電源復帰状態が検出された際に前記時計ＩＣから取得した時刻を復帰時刻として取得する復帰時刻取得部と、前記復帰時刻と前記遮断時刻との差を演算する演算部とを有し、前記停止時間計測部は、前記演算部によって演算された前記遮断時刻と前記復帰時刻との差を前記測定対象機器の停止時間として加算する。
【０００７】
この構成によれば、停電等による電源遮断状態から電源復帰状態が検出された際の復帰時刻と、停電等による電源遮断状態が検出された際の遮断時刻との差、即ち停電時間を測定対象機器の停止時間とする。このため、電力量計が停電によって稼働していない場合であってもその停電時間を測定対象機器の停止時間とすることができるため、測定対象機器の停止時間の測定が可能となり、利便性の面で向上を図ることができる。
【０００８】
上記電力量計において、前記復帰時刻取得部にて前記復帰時刻を取得した後に、前記遮断時刻取得部にて前記不揮発性メモリから遮断時刻を取得することが好ましい。
この構成によれば、遮断時刻取得部によるメモリに記憶された遮断時刻の取得よりも前に、復帰時刻取得部にて復帰時刻を取得するため、復帰時刻取得部にて時計ＩＣから取得するため、実際の復帰タイミングとの時間差を抑えることができる。
【０００９】
上記電力量計において、前記電源状態検知部にて電源遮断状態が検出された際に、前記遮断時刻取得部を第１所定時間だけ駆動させるための補助電源部を有し、前記遮断時刻取得部は、前記第１所定時間よりも短い第２所定時間毎に前記時計ＩＣから時刻を取得することが好ましい。
【００１０】
この構成によれば、電源遮断状態後に補助電源部にて遮断時刻取得部を第１所定時間駆動させることで、その第１所定時間よりも短い第２所定時間毎に時刻が取得されるため、第１所定時間の内で遮断時刻取得部によって電源遮断状態の時刻を取得することが可能となる。
【発明の効果】
【００１１】
本発明の電力量計によれば、利便性向上を図ることができる。
【図面の簡単な説明】
【００１２】
【図１】一実施形態における電力量計のブロック図。
【図２】同上における電力量計の動作例を説明するためのシーケンス図。
【発明を実施するための形態】
【００１３】
以下、電力量計の一実施形態について説明する。
図１に示すように、本実施形態の電力量計１０は、電源ＰＳから電源線Ｌｐを介して給電される測定対象機器１の消費電力量（以下、単に電力量と）を計測するものである。また、電力量計１０は、測定対象機器１の電力量の他、稼働時間と停止時間とを計測するようになっている。
【００１４】
電力量計１０は、マイコン１１と、測定部１２と、電源回路１３と、電源遮断検知回路１４と、時計ＩＣ１５と、不揮発性のメモリ１６とを有する。
電力測定部としての測定部１２は、電圧入力部１２ａと、電流入力部１２ｂとを有する。
【００１５】
電圧入力部１２ａは、電源ＰＳから電源線Ｌｐを介して測定対象機器１に印加される交流電圧（入力電圧）を所定レベルまで降圧してマイコン１１に出力している。電流入力部１２ｂは、電源線Ｌｐに流れる交流電流（入力電流）を電流センサ（図示略）によって検出し、電流トランスの２次電流を電圧信号に変換してマイコン１１に出力している。なお、このような電圧入力部１２ａ及び電流入力部１２ｂについては従来周知であるから詳細な構成についての図示並びに説明は省略する。
【００１６】
電源回路１３は、測定対象機器１の電源ＰＳと同一の電源系統に接続され、電源ＰＳから供給される交流電圧を直流電圧に変換してマイコン１１などの各部の動作電源を作成している。
【００１７】
電源遮断検知回路１４は、電源回路１３と接続され、電源回路１３で作成されていた動作電源が遮断された場合に遮断された旨の信号を、電源が復帰された場合に復帰された旨の信号をマイコン１１に対して出力する。
【００１８】
時計ＩＣ１５は、所謂リアルタイムクロックであって、現在の日時情報を刻み続け、それらの情報をマイコン１１に対して出力可能に構成される。
マイコン１１は、ＣＰＵやメモリ、Ａ／Ｄ変換器などを有し、メモリに記憶しているプログラムをＣＰＵで実行することにより、電圧入力部１２ａから受け取る入力電圧と電流入力部１２ｂから受け取る入力電流とに基づいて測定対象機器１の電力量を演算する電力量演算処理、測定対象機器１の稼働時間や停止時間の計測（カウント）処理などを行うものである。
【００１９】
また、マイコン１１は、電力量計１０に対して停電等によって電力供給が遮断される電源遮断状態の時間（停電時間）を同一の電源ＰＳに接続される測定対象機器１の停止時間として加算するようになっている。
【００２０】
マイコン１１は、電源遮断状態から復帰した際において、自身にも電源回路１３を介して電力供給が開始されることで復帰状態を検出することができるようになっている。
また、マイコン１１は、補助電源部としてのサブバッテリＳＢを備える。
【００２１】
サブバッテリＳＢは、例えばコンデンサであって、停電等による電源遮断状態においてマイコン１１を第１所定時間Ｔ１駆動させるためのものである。
上記のように構成された電力量計１０の作用（一動作例）を説明する。
【００２２】
本実施形態の電力量計１０のマイコン１１は、電圧入力部１２ａ及び電流入力部１２ｂを介して得られる入力電流及び入力電圧から測定対象機器１の電力量を算出する。また、マイコン１１は、電流入力部１２ｂから入力電流が得られる場合の時間を駆動時間として、電流入力部１２ｂから入力電流が得られない場合の時間を停止時間として時計ＩＣ１５を用いて計測する。
【００２３】
図２に示すように、マイコン１１は、時計ＩＣ１５から第２所定時間Ｔ２毎に現在時刻を取得する。なお、本実施形態では第２所定時間Ｔ２は、サブバッテリＳＢによって電源遮断後のマイコン１１を駆動させる第１所定時間Ｔ１よりも短く設定されている。
【００２４】
図２に示すように或るタイミングにおいて電源遮断（停電）が起きると、電源遮断検知回路１４によってマイコン１１に対して電源遮断状態である旨の信号を通知する。そして、マイコン１１は、第１所定時間＞第２所定時間Ｔ２であることでサブバッテリＳＢによる駆動中において少なくとも１回現在時刻を時計ＩＣ１５から取得するため、その時刻を遮断時刻としてメモリ１６に保存する。
【００２５】
その後、或るタイミングにおいて電源復帰すると、マイコン１１は現在時刻を時計ＩＣ１５から取得する。その後、マイコン１１は、メモリ１６に保存されている時刻（遮断時刻）を取得する。なお、電源復帰後において、マイコン１１は各種のイニシャライズ処理を実施するため、電源復帰後はメモリ１６に保存されている時刻（遮断時刻）の取得、時計ＩＣ１５からの現在時刻の取得等において時間を要することとなる。このため、メモリ１６から遮断時刻を取得する前に現在時刻（復帰時刻）を時計ＩＣ１５から取得する意義は大きい。
【００２６】
その後、マイコン１１は、復帰時刻と遮断時刻との差を演算し、停止時間としてカウント（加算）処理する。
次に、本実施形態の効果を記載する。
【００２７】
（１）停電等による電源遮断状態から電源復帰状態が検出された際の復帰時刻と、停電等による電源遮断状態が検出された際の遮断時刻との差、即ち停電時間を測定対象機器１の停止時間とする。このため、電力量計１０が停電によって稼働していない場合であってもその停電時間を測定対象機器１の停止時間とすることができるため、測定対象機器１の停止時間の測定が可能となり、利便性の面で向上を図ることができる。
【００２８】
（２）また、停電等による電源遮断後はマイコン１１の動作が停止するため、電源復帰してもマイコン１１において各種のイニシャライズ処理が発生する。このため、電源復帰後はメモリ１６に保存されている時刻の取得、時計ＩＣ１５からの現在時刻の取得等において時間を要することとなる。このため、時計ＩＣ１５からの現在時刻の取得をメモリ１６に保存されている時刻の取得よりも前に行うことで、電源復帰時における現在時刻の取得の誤差を抑えることができる。
【００２９】
（３）電源遮断状態後に補助電源部としてのサブバッテリＳＢにてマイコン１１を第１所定時間Ｔ１駆動させることで、その第１所定時間Ｔ１よりも短い第２所定時間Ｔ２毎に時刻が取得されるため、第１所定時間Ｔ１の内でマイコン１１によって電源遮断状態の時刻（遮断時刻）を取得することが可能となる。
【００３０】
なお、上記実施形態は、以下のように変更してもよい。
・上記実施形態では、マイコン１１による時計ＩＣ１５からの時刻の取得を第１所定時間Ｔ１よりも短い第２所定時間Ｔ２毎に行うようにしたが、これに限らない。第１所定時間Ｔ１と第２所定時間Ｔ２を同じ設定としたり、第１所定時間Ｔ１よりも第２所定時間Ｔ２が長い設定としてもよい。
【００３１】
・マイコン１１による遮断時刻の取得タイミングについて電源遮断状態の検出をきっかけに実施してもよい。つまり、マイコン１１は、電源遮断状体の検出をきっかけに時計ＩＣ１５の時刻を取得して遮断時刻としてメモリ１６に記憶させる構成を採用してもよい。
【００３２】
・上記実施形態並びに各変形例は適宜組み合わせてもよい。
【符号の説明】
【００３３】
１０…電力量計、１１…マイコン（演算部、停止時間計測部、復帰検知部、遮断時刻取得部及び復帰時刻取得部）、１２…計測部（電力測定部）、１４…電源遮断検知回路（遮断検知部）、１５…時計ＩＣ、１６…メモリ（不揮発性メモリ）、ＰＳ…電源、ＳＢ…サブバッテリ（補助電源部）、Ｔ１…第１所定時間、Ｔ２…第２所定時間、１…測定対象機器。
【図１】
2017116480.tif 000003
【図２】
2017116480.tif 000004